(57)【要約】【課題】  取付部材と筐体との間に発生するおそれのある結露水等による悪影響の発生を回避し得るリモコンを提供する。【解決手段】  設置対象の壁面に対し板状の取付部材３を介してリモコンの筐体２を取り付ける。筐体２の後面２４に基板Ｋとの接続用の開口部２６１，２６２を形成し、開口部の下端縁に沿って凹溝２８１，２９１と、これに連通し下方に延びる凹溝２８２，２９２を形成する。取付部材３に対し筐体２をその後面２４が密着した状態に取り付けることで、凹溝２８１，２９１，２８２，２９２の後面側が遮蔽される。これにより、凹溝２８１，２９１により開口部２６１，２６２の下端縁に滞留する結露水の受水部４１１，４２１と、凹溝２８２，２９２により排水トンネル４１２，４２２とが区画形成される。【選択図】      図５
2015140945.tif 000002
【特許請求の範囲】
【請求項１】
制御用の基板を内蔵する筐体が取付部材を介して設置対象の壁面に取り付けられるように構成されたリモコンにおいて、
前記筐体の後面には接続線を導入するために後方に向けて開口する開口部と、後方側に開放された状態で前記開口部の下端縁から下方に延びる凹溝とが形成され、
前記凹溝は、前記筐体の後面が前記取付部材の前面に密着した状態で取り付けられることにより、前記凹溝の後方側が遮蔽されてトンネル状の排水流路が区画形成されるように構成されている、
ことを特徴とするリモコン。
【請求項２】
請求項１に記載のリモコンであって、
前記凹溝の下端は、前記密着した状態で取り付けられた取付部材の下端縁よりも下方位置まで延びるように形成されている、リモコン。
【請求項３】
請求項１又は請求項２に記載のリモコンであって、
前記筐体の後面には、前記開口部の下端縁において上方と後方とに向けて開放された状態で左右方向に延びる他の凹溝が形成され、かつ、前記他の凹溝は前記下方に延びる凹溝と連通されており、
前記他の凹溝は、前記筐体の後面が前記取付部材の前面に密着した状態で取り付けられることにより、前記他の凹溝の後方側が遮蔽される一方、上方側が前記開口部と連通して、前記開口部の下端縁に滞留することになる水を受水するための受水部が区画形成されるように構成されている、リモコン。
【発明の詳細な説明】
【技術分野】
【０００１】
本発明は、リモコンに関し、特にその背面側が壁面に対し取り付けられる壁面設置タイプのリモコンにおいて、リモコンの背面側に結露がたとえ生じたとしても、リモコン内部に不都合を生じさせる可能性を排除するための技術に係る。
【背景技術】
【０００２】
リモコンの内部には、通常、制御用の基板が内蔵されている。この基板が水没したり水に濡れたりしてしまうと故障を招くおそれがあるため、たとえ水の浸入があったとしても、その水がリモコン内部に溜まらないように対策されている。例えば、特許文献１（同文献の図１，図３参照）では、筐体背面の環状突出部の内側に筐体内部に通じる貫通孔が形成され、環状突出部を囲むように排水溝を形成した浴室設置型のリモコンを対象にして、その環状の排水溝の内側位置において左右方向に延びる第２の排水溝を形成することが提案されている。又、特許文献２（同文献の図２，図３参照）の浴室設置型のリモコンでは、筐体背面の四隅に凸部を形成することで壁面に設置した際に壁面と筐体背面との間に隙間を形成する一方、下部の凸部の内側位置に筐体内部と連通する開口と、筐体底面に内部と連通する開口とを形成することにより、前記隙間に充填剤を注入しても開口が閉塞され難くし、隙間に入った水を凸部内側の開口から筐体内部に導き底面の開口を通して外部に排水し得るようにすることが提案されている。
【先行技術文献】
【特許文献】
【０００３】
【特許文献１】特許第４６７３１３９号公報
【特許文献２】特許第４８９４００７号公報
【発明の概要】
【発明が解決しようとする課題】
【０００４】
ところで、浴室内等に設置されるリモコンの場合には設置環境の性質上、防水対策（例えばシールパッキン等）が施される一方、前記の如き排水対策が施されるのが一般的である。その一方、台所内や居室内等に設置されるリモコン（以下、「台所設置型のリモコン」という）の場合にはシールパッキン等の特別な防水対策等は採られてはいないのが通常であるものの、台所設置型のリモコンの場合であっても、水滴等が溜まることで故障等の不都合を招くおそれが考えられる。すなわち、リモコンが設置される室内環境温度と、設置壁面を通してリモコンの筐体背面に伝わる外部環境温度との温度差が大きいと筐体背面に結露が生じるおそれがある。筐体背面には給湯器等との間での通信線を引き込んで接続するための開口部が形成されているため、この開口部の縁に結露水が溜まり筐体内部の基板に影響を及ぼすおそれが考えられる。特に、通信線がリモコンの設置対象壁面に形成された貫通孔を通して配線されている場合には、その貫通孔を通して外気が筐体背面側に伝わるため、前記の結露水の発生による不都合発生の懸念も増大することになる。さらに、台所設置型のリモコンでは、設置対象壁面に取付部材を先ず固定し、この取付部材に対しリモコン本体を結合させるというタイプの場合、取付部材に外気が及んで結露発生のおそれが高まることが予想される。
【０００５】
本発明は、このような事情に鑑みてなされたものであり、その目的とするところは、結露水等による悪影響の発生を回避し得るリモコンを提供することにある。
【課題を解決するための手段】
【０００６】
上記目的を達成するために、本発明では、制御用の基板を内蔵する筐体が取付部材を介して設置対象の壁面に取り付けられるように構成されたリモコンを対象にして次の特定事項を備えることとした。すなわち、前記筐体の後面に、接続線を導入するために後方に向けて開口する開口部と、後方側に開放された状態で前記開口部の下端縁から下方に延びる凹溝とを形成する。そして、前記凹溝として、前記筐体の後面が前記取付部材の前面に密着した状態で取り付けられることにより、前記凹溝の後方側が遮蔽されてトンネル状の排水流路が区画形成される構成とする（請求項１）。
【０００７】
本発明の場合、取付部材が設置対象の壁面を通して例えば冬期の外気や他の部屋の冷気の影響を受けて冷却される一方、筐体の側は設置空間である台所等の暖気により暖められることに起因して、取付部材と筐体との間で結露が生じ、これにより、たとえ筐体の開口部の下端縁に結露水が集まって水滴が形成されて滞留するようになったとしても、その水滴は排水流路を通して導かれ排出されることになる。このため、結露水等に起因する基板等への悪影響又は故障等の発生を回避することが可能となる。
【０００８】
又、本発明のリモコンにおいて、前記凹溝の下端を、前記密着した状態で取り付けられた取付部材の下端縁よりも下方位置まで延びるように形成することができる（請求項２）。このようにすることにより、取付部材の下端縁より下側位置で凹溝の下端が露出することになるため、その下端が排水口となって、排水流路を通して導かれた水が確実に排出されることになる。
【０００９】
さらに、本発明のリモコンにおいて、前記筐体の後面に、前記開口部の下端縁において上方と後方とに向けて開放された状態で左右方向に延びる他の凹溝を形成し、かつ、前記他の凹溝を前記下方に延びる凹溝と連通させることができる。そして、前記他の凹溝として、前記筐体の後面が前記取付部材の前面に密着した状態で取り付けられることにより、前記他の凹溝の後方側が遮蔽される一方、上方側が前記開口部と連通して、前記開口部の下端縁に滞留することになる水を受水するための受水部が区画形成される構成とすることができる（請求項３）。このようにすることにより、取付部材と筐体との間で結露が生じて筐体の開口部の下端縁に結露水が滞留するようになったとしても、その滞留水が受水部により受水され、次いで、下方に延びる凹溝により構成される排水流路を通して排出されることになる。このため、結露水がかなり多く滞留してしまい、それがあふれて筐体内部の側に侵入するような事態の発生のおそれを、回避し得ることになる。
【発明の効果】
【００１０】
以上、説明したように、本発明のリモコンによれば、取付部材が設置対象の壁面を通して例えば冬期の外気や他の部屋の冷気の影響を受けて冷却される一方、筐体の側は設置空間である台所等の暖気により暖められることに起因して、取付部材と筐体との間で結露が生じ、これにより、たとえ筐体の開口部の下端縁に結露水が集まって水滴が形成されて滞留するようになったとしても、その水滴を、排水流路を通して導いて排出させることができる。このため、結露水等に起因する基板等への悪影響又は故障等の発生を確実かつ有効に回避することができるようになる。
【００１１】
又、請求項２のリモコンによれば、凹溝の下端を、密着した状態で取り付けられた取付部材の下端縁よりも下方位置まで延びるように形成することにより、取付部材の下端縁より下側位置で凹溝の下端が露出するため、これが排水口となって、排水流路を通して導かれた水を確実に排出させることができるようになる。
【００１２】
さらに、請求項３のリモコンによれば、筐体の後面に、開口部の下端縁において上方と後方とに向けて開放された状態で左右方向に延びる他の凹溝を形成し、かつ、前記他の凹溝を前記下方に延びる凹溝と連通させ、そして、前記他の凹溝として、筐体の後面が取付部材の前面に密着した状態で取り付けられることにより、前記他の凹溝の後方側が遮蔽される一方、上方側が前記開口部と連通し、その開口部の下端縁に滞留することになる水を受水するための受水部が区画形成される構成とすることにより、次の効果が得られる。すなわち、取付部材と筐体との間で結露が生じて筐体の開口部の下端縁に結露水が滞留するようになったとしても、その滞留水を受水部により受水することができ、次いで、下方に延びる凹溝により構成される排水流路を通して排出させることができるようになる。このため、結露水がかなり多く滞留し、それがあふれることで筐体内部の側に侵入するような事態の発生のおそれを、確実に回避することができるようになる。
【図面の簡単な説明】
【００１３】
【図１】本発明の実施形態に係るリモコンの取付部材への取り付け前における全体斜視図である。
【図２】図１のリモコンの筐体を背面側から見た状態で示す図１対応図である。
【図３】図２のリモコンの筐体の拡大斜視図である。
【図４】図４（ａ）は図３のＡ部拡大図であり、図４（ｂ）は図３のＢ部拡大図である。
【図５】取り付け状態のリモコンを、設置壁面等を省略した状態で背面側から見た図３対応図である。
【図６】図５のＣ−Ｃ線における断面説明図である。
【図７】図６のＤ部拡大図であって、図７（ａ）は筐体を取付部材に結合させるための第１手順を示し、図７（ｂ）はその第２手順を示し、図７（ｃ）は結合を完了させた取付状態を示す。
【図８】図５のＥ−Ｅ線において破断して斜視図状態で示す断面説明図である。
【発明を実施するための形態】
【００１４】
以下、本発明の実施形態を図面に基づいて説明する。
【００１５】
図１及び図２は、本発明の実施形態に係るリモコン１を示すものであり、このリモコン１は筐体２と、筐体２を壁面に設置するための取付部材３とから構成されている。このリモコンは、例えば給湯装置を遠隔操作するために台所や居室等に設置されて用いられる他、給湯装置以外の装置を遠隔操作するためにも用いることができる。リモコン１は、筐体２の内部に制御用の基板やＬＣＤ等の表示部が収容されて構成されている。筐体２の前面には、上半部に表示窓２１や操作用のボタン２２が設けられ、下半部には軸Ｘ回りに回転することにより開閉する開閉蓋２３が設けられ、開閉蓋２３を開けることにより各種の詳細設定用のボタンが露出するようになっている。筐体２は例えば合成樹脂成形により形成することができ、例えば後面ケースと前面ケースとを組み合わせて構成することができる。又、取付部材３は金属板材を用いてプレス加工により形成することができる他、合成樹脂成形により形成することもできる。本実施形態のリモコンは、図１〜図３に図示した状態の姿勢で設置対象の壁面に取り付けられて使用されるようになっている。以下、上下、左右、前後という用語は、壁面に取り付けられた状態の姿勢について用いる。なお、図２を除き他の図においては、取付部材３を壁面へ固定するためのネジ等の固定手段の図示を省略している。
【００１６】
筐体２の後面（背面）２４には、略四隅位置に後述の係止爪３５と互いに係合して筐体２を取付部材３に密着状態で結合させるためのスリット状の係合孔２５，２５，…が形成されている。又、筐体２の後面２４には、図３に示すように、接続線である通信線等を配線・収容するための凹み部２６が形成され、この凹み部２６には、所定位置において基板Ｋとの接続端子２７，２７等を後面に露出した状態で配設するための開口部２６１が形成されている。又、図例では、開口部２６１が凹み部２６の一側位置に形成され、それよりも上位の他側位置にも他の用途の接続のために基板を露出状態にするための開口部２６２が形成されている。そして、特に基板が露出することになる開口部２６１，２６２には排水対策用の凹溝２８，２９が形成されている。凹溝２８は、図４に詳細を示すように、前記開口部２６１の下側の開口縁において上方と後方とに開放された状態で左右方向に延びて受水部となる第１凹溝２８１と、この第１凹溝２８１と一端で連通し後方に開放された状態で下向きに延びる第２凹溝２８２とを備えて構成されている。又、凹溝２９も、開口部２６の他側部２６２の下側の開口縁において上方と後方とに開放された状態で左右方向に延びて受水部となる第１凹溝２９１と、この第１凹溝２９１と一端で連通し後方に開放した状態で下向きに延びる第２凹溝２９２とを備えて構成されている。前記の各第１凹溝２８１，２９１は、その底面となる上向き面が第２凹溝２８２，２９２との連通部に向けて下り勾配となる傾斜路に構成されている。そして、各第２凹溝２８２，２９２はその下端２８３，２９３が後述の如く結合された状態の取付部材３の下端縁よりも下側位置まで延ばされている。
【００１７】
なお、前記凹み部２６には筐体２の下面位置まで下向きに延びるやや太めの凹溝２６３が連続して形成されており、後述の通信線を筐体２の下側から導く場合には、この凹溝２６３を通して配線し得るようになっている。又、図３，図４において符号２４１，２４１，…は、取付部材２の後述の固定用ネジ３３（図２参照）の頭部を収容するための凹部であって、取付部材２と筐体２との密着の妨げにならないようするための凹部である。
【００１８】
取付部材３（図１，図２参照）は、板状に形成され、内側寄り位置に前後を貫通する開口部（図例では複数の開口部３１，３２）が形成され、所定の各位置に壁面固定用の例えばネジ３３（図２のみに示す）を装入するための取付孔（図例では複数個の取付孔３４，３４，…）が形成される他、所定位置（図例では略四隅位置）に係止爪（図例では複数個の係止爪３５，３５，…）が形成されている。各係止爪３５（図２参照）は前面側に僅かに突出した後に上向きに突出するように略Ｌの字状のものに形成されている。この係止爪３５と、係合孔２５とによって、取付部材３の前面３６に対し筐体２の後面２４を密着状態にして、取付部材３と筐体２とを互いに結合させるための結合手段が構成されている（図５も併せて参照）。取付部材３はネジ３３（図２参照）等の固定手段によって設置対象の壁面Ｗ（図６参照）に取り付け・固定され、その開口部３１には壁面Ｗに貫通された貫通孔Ｗｈが臨むようになっている（図１，図２も併せて参照）。この貫通孔Ｗｈを通して、給湯器やホームオートメーション等との間で通信するための通信線（図示省略）が配線され、それらの先端が開口部３１から露出された状態になっている。そして、取付部材３に対し筐体２を取り付ける前に、前記通信線の先端を開口部３１から前方に引き出して筐体２の接続端子２７等に接続し、その上で、筐体２を取付部材３に対し結合させて取り付ける。
【００１９】
筐体２と取付部材３との結合は次のようにして行われる。まず、筐体２（図６参照）の後面２４を取付部材３の前面３６に相対向させ、取付部材３の係止爪３５，３５，…に対しこれら係止爪３５，３５，…が筐体２の係合孔２５，２５，…内に入り込むように被せる（図７（ａ），（ｂ）参照）。次に、筐体２を下方に押圧気味にずらすことで、係止爪３５の上向き突出部分が係止壁部２５１に対し密に接合して係止される（図７（ｃ），図６の実線参照）。これにより、筐体２が取付部材３に対し密着状態となって結合され、筐体２が前後方向及び上下方向の位置ずれが阻止された状態に支持されるようになっている。例えば、係止爪３５と取付部材３の前面３６との間の隙間の間隔を、筐体２の後面と係止壁部２５１との間の壁厚と同じか僅かに狭く設定しておくことで、前記の密着状態を実現させることができる。
【００２０】
以上の如く筐体２が取付部材３に対し密着状態に接合されて結合されると、図５，図８に示すように、凹溝２８，２９が取付部材３の前面３６により蓋をされて閉じられた状態となり、これにより、排水流路４１，４２が区画形成されることになる。すなわち、凹溝２８においては、第１凹溝２８１の後方側の開放面が取付部材３の前面３６により閉じられて、これにより、基板Ｋが露出する開口部２６１に連通するよう上方側に開放された受水部４１１が区画形成される一方、第２凹溝２８２の後方側の開放面が同様に取付部材３の前面３６により閉じられて、これにより、受水部４１１に連通する排水トンネル４１２が区画形成されることになる。そして、この排水トンネル４１２を構成する第２凹溝２８２の下端２８３が取付部材３の下端縁よりも下位置で開口することにより、その下端縁２８３が排水口４１３を構成することになる。以上の受水部４１１，排水トンネル４１２及び排水口４１３によって、排水流路４１が形成されることになる。同様に、凹溝２９においては、第１凹溝２９１の後方側の開放面が取付部材３の前面３６により閉じられて、これにより、基板Ｋが露出する開口部２６２に連通するよう上方側に開放された受水部４２１が区画形成される一方、第２凹溝２９２の後方側の開放面が取付部材３の前面３６により閉じられて、これにより、受水部４２１に連通する排水トンネル４２２が区画形成されることになる。そして、この排水トンネル４２２を構成する第２凹溝２９２の下端２９３が取付部材３の下端縁よりも下位置で開口することにより、その下端縁２９３が排水口４２３を構成することになる。以上の受水部４２１，排水トンネル４２２及び排水口４２３によって、排水流路４２が形成されることになる。
【００２１】
以上のリモコン１の場合、壁面Ｗに固定された取付部材３に対し筐体２が密着状態で取り付けられて使用に供された場合、取付部材３が貫通孔Ｗｈを通して例えば冬期の外気や他の部屋の冷気に触れて冷却される一方、筐体２の側は台所等の暖気により暖められることに起因して、取付部材３と筐体２との間で結露が生じ、これにより、取付部材３側の開口部３１，３２の開口縁や筐体２側の開口部２６１，２６２の開口縁や下端部に結露水が集まって水滴が形成されて滞留するようになったとしても、その水滴は受水部４１１，４２１内に受水され、その底面に下り勾配に従って排水トンネル４１２，４２２に導かれて排水トンネル４１２，４２２を通して落下し、排水口４１３，４２３から壁面Ｗの側に排出されることになる。このため、結露水等に起因する基板Ｋ等への悪影響又は故障等の発生を回避することができるようになる。なお、下側からの通信線の収容・配線のための凹溝２６３（図５参照）も取付部材３の前面３６により後方側の開放面が遮蔽されるため、これを排水流路４３として利用することもできる。
【００２２】
＜他の実施形態＞
なお、本発明は前記実施形態に限定されるものではなく、その他種々の実施形態を包含するものである。すなわち、前記実施形態では、排水流路４１，４２として２つのものを示したが、１つだけでも、あるいは、３つ以上形成することもできる。又、排水流路４１，４２として、受水路４１１，４２１を備えたものを示したが、受水路４１１，４２１は必須ではなくて、排水流路としては排水トンネル４１２，４２２及び排水口４１３，４２３を備えていればよい。又、第２凹溝２８２，２９２の下端を前記実施形態のように取付部材３の下端縁の少し下の位置で止めずに、筐体２の下面を突き抜けるように延ばしてもよい。前記実施形態では、凹溝２８１，２８２，２９１，２９２の近傍の後面２４を平らな平面とし、相対向する部分の取付部材３の前面３６を平らな平面としているが、これに限らず、互いに密着するように形成されていればよく、凹凸が存在してもよい。さらに、前記実施形態では取付部材３に対し筐体２を密着状態で結合させるための結合手段として係止爪３５と係合孔２５との組み合わせからなる着脱可能な係合手段を示したが、これに限らず、他の係合手段や嵌合手段あるいはネジ手段等を採用することができる。
【符号の説明】
【００２３】
１      リモコン
２      筐体
３      取付部材
４１，４２        排水流路
２６１，２６２    開口部
２８１，２９１    第１凹溝（他の凹溝）
２８２，２９２    第２凹溝（下方に延びる凹溝）
２８３，２９３    凹溝の下端
４１１，４２１    受水部
Ｋ      基板
Ｗ      設置対象の壁面
【図１】
2015140945.tif 000003
【図２】
2015140945.tif 000004
【図３】
2015140945.tif 000005
【図４】
2015140945.tif 000006
【図５】
2015140945.tif 000007
【図６】
2015140945.tif 000008
【図７】
2015140945.tif 000009
【図８】
2015140945.tif 000010